(57)【要約】【課題】通信可能な機器間において相互に連携した動作を実現することができる再生装置を提供する。【解決手段】本発明に係るリビングテレビ１は、キッチンテレビと通信可能に接続されており、自機の稼動状態に関する状態変化を検出する稼動状態判定部４３、キッチンテレビの稼動状態に関する状態変化を検出する他装置稼動状態判定部４２と、自機の稼動状態またはキッチンテレビの稼動状態において状態変化を検出した場合、自機の稼動状態を示す自装置稼動情報３２と、キッチンテレビの稼動状態を示す他装置稼動情報３３とに応じて、再生時の音量を決定する音量決定部４５とを備える。【選択図】図１
2010074651.tif 000002
【特許請求の範囲】
【請求項１】
映像信号および音声信号に基づく再生処理を実行する再生装置であって、
他の再生装置と通信可能に接続されており、
自機の稼動状態の状態変化、または他の再生装置の稼動状態の状態変化を検出する状態変化検出手段と、
上記状態変化検出手段が自機の稼動状態の状態変化、または他の再生装置の稼動状態の状態変化を検出した場合、自機の稼動状態を示す自機稼動状態情報と、他の再生装置の稼動状態を示す他機稼動状態情報とに応じて、上記再生処理に関する動作を決定する決定手段と、を備えることを特徴とする再生装置。
【請求項２】
上記他の再生装置から、上記他機稼動状態情報を取得する取得手段を備え、
上記状態変化検出手段が、自機の稼動状態の状態変化の有無を検出する自機状態変化検出手段を有しており、
上記自機状態変化検出手段が、自機の稼動状態の状態変化を検出した場合、上記決定手段は、状態変化後の上記自機稼動状態情報と、上記取得手段によって取得している上記他機稼動状態情報とに基づき、上記再生処理に関する動作を決定することを特徴とする請求項１に記載の再生装置。
【請求項３】
上記他の再生装置から、上記他機稼動状態情報を取得する取得手段を備え、
上記状態変化検出手段が、上記取得手段によって取得された他機稼動状態情報に基づき、他の再生装置の稼動状態の変化の有無を検出する他機状態変化検出手段を有しており、
上記他機状態変化検出手段が、他の再生装置の稼動状態の状態変化を検出した場合、上記決定手段は、上記自機稼動状態情報と状態変化後の上記他機稼動状態情報とに基づき、上記再生処理に関する動作を決定することを特徴とする請求項１に記載の再生装置。
【請求項４】
上記自機稼動状態情報と上記他機稼動状態情報との組み合わせと、上記再生処理に関する動作を示す動作情報との対応関係を示す状態テーブルを記憶する記憶装置をさらに備え、
上記決定手段は、上記記憶装置に記憶された状態テーブルを参照して、上記自機稼動状態情報と、上記他機稼動状態情報とに基づき、上記再生処理に関する動作を決定することを特徴とする請求項１から３のいずれか１項に記載の再生装置。
【請求項５】
上記状態テーブルは、上記再生処理に関する動作を示す動作情報として、音声信号に基づき再生する音声の音量を規定する音量情報を含んでおり、
上記決定手段は、上記記憶装置に記憶された状態テーブルを参照して、上記自機稼動状態情報と、上記他機稼動状態情報とに基づき、再生する音声の音量を決定することを特徴とする請求項４に記載の再生装置。
【請求項６】
上記自機稼動状態情報が、上記再生処理が自機において実行中である旨を示すものであり、
上記他機稼動状態情報が、上記再生処理が他の再生装置において実行中である旨を示している場合、
上記決定手段は、音声信号に基づき再生する音声の音量を、自機と他の再生装置とのそれぞれにおいて再生される音声により互いに干渉されない音量として予め規定されている音量に変更するように決定することを特徴とする請求項５に記載の再生装置。
【請求項７】
上記自機稼動状態情報が、上記再生処理が自機において実行中である旨を示すものであり、
上記他機稼動状態情報が、上記再生処理が他の再生装置において停止されている旨を示している場合、
上記決定手段は、音声信号に基づき再生する音声の音量を、ユーザからの操作指示により、該ユーザの所望の音量として予め規定した音量に変更するように決定することを特徴とする請求項５に記載の再生装置。
【請求項８】
上記自機稼動状態情報と上記他機稼動状態情報との組み合わせと、上記再生処理に関する動作を示す動作情報との対応関係を示す状態テーブルを記憶する記憶装置をさらに備え、
上記状態テーブルは、上記再生処理に関する動作を示す動作情報として、該再生処理の実行開始または停止を指示する実行指示情報を含んでおり、
上記決定手段は、上記記憶装置に記憶された状態テーブルを参照して、上記自機稼動状態情報と上記他機稼動状態情報とに基づき、上記再生処理の実行開始または停止を決定することを特徴とする請求項３に記載の再生装置。
【請求項９】
上記他の再生装置から、該他の再生装置にて再生処理されている映像信号および音声信号を特定する再生対象特定情報を取得する特定情報取得手段をさらに備え、
上記自機稼動状態情報は、上記再生処理が自機において停止されている旨を示しており、
上記他機状態変化検出手段が他の再生装置の稼動状態の状態変化を検出した場合、状態変化後の上記他機稼動状態情報が、上記再生処理が他の再生装置において停止されたことを示すとき、
上記決定手段は、上記自機稼動状態情報と状態変化後の上記他機稼動状態情報とに基づき、特定情報取得手段によって取得した再生対象特定情報に対応する映像信号および音声信号の再生処理を開始するように決定することを特徴とする請求項８に記載の再生装置。
【請求項１０】
上記再生対象特定情報が、上記映像信号および音声信号を搬送する放送波の受信チャンネルを示す情報であることを特徴とする請求項９に記載の再生装置。
【請求項１１】
映像信号および音声信号に基づく再生処理を実行する再生装置の制御方法であって、
当該再生装置は他の再生装置と通信可能に接続されており、
自機の稼動状態の状態変化、または他の再生装置の稼動状態の状態変化を検出する第１ステップと、
上記第１ステップにおいて、自機の稼動状態の状態変化、または他の再生装置の稼動状態の状態変化を検出した場合、自機の稼動状態を示す自機稼動状態情報と、他の再生装置の稼動状態を示す他機稼動状態情報とに応じて、上記再生処理に関する動作を決定する第２ステップと、を含むことを特徴とする再生装置の制御方法。
【請求項１２】
コンピュータを請求項１から１０のいずれか１項に記載の再生装置の各手段として機能させるための再生装置の制御プログラム。
【請求項１３】
請求項１２に記載の再生装置の制御プログラムを記録したコンピュータ読み取り可能な記録媒体。
【発明の詳細な説明】
【技術分野】
【０００１】
本発明は、映像信号および音声信号に基づく再生処理を実行する再生装置に関するものである。
【背景技術】
【０００２】
近年、テレビの薄型化、小型化が進み、テレビの設置可能な場所が広がっている。例えば、家庭においても、キッチン、リビング、寝室、風呂場、またはトイレ等、様々な場所に様々な設置形態でテレビが設置されるようになっている。
【０００３】
キッチンに設置されるテレビ（いわゆる、キッチンテレビ）として、例えば、非特許文献１に開示されるデジタルキッチンテレビがある。また、複数の機器が異なる場所に設置されている環境下において、これら複数の機器を連携させて処理を行う技術思想も開示されている（例えば特許文献１、２）。
【０００４】
特許文献１では、リビングに設置されているテレビで視聴している番組の録画を指示することで、この番組をキッチンテレビに記憶させることができる無線リモコン式キッチンテレビが開示されている。この無線リモコン式キッチンテレビでは、リビングのテレビで料理番組を見ながら、リモコンの録画ボタンを押すと、リビングのテレビで見ている番組のチャンネルデータとともに録画信号がキッチンテレビに送信される。そして、キッチンテレビではこのチャンネルデータに応じて選局し、録画信号を受信した時点での画像を記録することができる。
【０００５】
また、特許文献２では、外部機器からのイベント発生と、そのイベント発生時点における接続機器の状態とに基づき、設定されている動作を行う接続機器が開示されている。より具体的には、接続機器がテレビで、外部機器が電話機である場合、テレビの視聴中に電話機がなり、ユーザが電話機をとったらテレビの音量を低下させることができる。
【特許文献１】特開２００７−１２９３０９号公報（２００７年５月２４日公開）
【特許文献２】特開２００７−１１０３８８号公報（２００７年４月２６日公開）
【非特許文献１】サンバリーコーポレーション、地上デジタル（地デジ）対応  浴室テレビ・キッチンテレビ、［ 平成２０年６月２４日検索］、インターネット＜URL：http：//WWW. Sunvalley-tv.com/product/kitchen.html＞
【発明の開示】
【発明が解決しようとする課題】
【０００６】
しかしながら、上記従来の構成では、自機の稼動状態の変化に応じて、自機の動作を変更したり、通信相手に動作の変更を促したりするなど、通信可能な機器間において相互に連携した動作を実現することができないという問題が生じる。なお、上記稼動状態とは動作している状態、停止している状態、待機している状態など各機器の稼動に関わる状態のことである。一方、動作とは、上記稼動状態に応じて実行する各機器の所定の動きである。
【０００７】
具体的には、特許文献１では、リモコンから出力された録画信号に応じてキッチンテレビが挙動を変更するものであり、キッチンテレビの挙動変化に応じてリビングのテレビの挙動が変更されるものではない。特許文献２に示す接続機器も、外部機器の稼動状態の変化にあわせて自機の動作を変更するものである。このため、接続機器自身が動作状態を変更するとともに外部機器に対しても動作状態の変更を促すなど、相互に連携して動作状態を変更させるものではない。すなわち、通信可能な両者が相互に連携して動作するものではない。
【０００８】
本発明は、上記の問題点に鑑みてなされたものであり、その目的は、通信可能な機器間において相互に連携した動作を実現することができる、再生装置および再生装置の制御方法を実現することにある。
【課題を解決するための手段】
【０００９】
本発明に係る再生装置は、上記した課題を解決するために、映像信号および音声信号に基づく再生処理を実行する再生装置であって、他の再生装置と通信可能に接続されており、自機の稼動状態の状態変化、または他の再生装置の稼動状態の状態変化を検出する状態変化検出手段と、上記状態変化検出手段が自機の稼動状態の状態変化、または他の再生装置の稼動状態の状態変化を検出した場合、自機の稼動状態を示す自機稼動状態情報と、他の再生装置の稼動状態を示す他機稼動状態情報とに応じて、上記再生処理に関する動作を決定する決定手段と、を備えることを特徴とする。
【００１０】
上記構成によると、状態変化検出手段を備えるため、自機または他の再生装置における稼動状態の変化の有無を把握することができる。なお、稼動状態の変化とは、例えば、自機または他の再生装置が稼動中であった状態から停止する、あるいは停止している状態から起動する等、動作のオンオフに関わる状態変化が挙げられる。さらには、出力している音量が変化したり、表示している映像の輝度が変化したりする等、自機または他の再生装置の稼動中における設定の変化も挙げられる。
【００１１】
また、決定手段を備えているため、自機または他の再生装置において稼動状態に変化が生じた場合、自機稼動状態情報と他機稼動状態情報とに応じて、当該再生装置が実行する再生処理に関する動作を決定することができる。なお、再生処理に関する動作とは、再生処理の実行開始、停止等、再生処理自体の実行に関わる動作に加え、音声信号に基づき出力される音声の音量の調整、映像信号に基づき出力される映像の輝度の調整等、実行する再生処理の処理結果に関わる動作も含む。
【００１２】
すなわち、本発明に係る再生装置は、自機の稼動状態または他の再生装置の稼動状態に変化が生じた場合、自機と他機との両方の稼動状態を考慮し再生処理に関する動作を決定することができる。
【００１３】
したがって、本発明に係る再生装置は、通信可能な機器間において相互に連携した動作を実現することができるという効果を奏する。
【００１４】
また、本発明に係る再生装置は、上記した構成において、上記他の再生装置から、上記他機稼動状態情報を取得する取得手段を備え、上記状態変化検出手段が、自機の稼動状態の状態変化の有無を検出する自機状態変化検出手段を有しており、上記自機状態変化検出手段が、自機の稼動状態の状態変化を検出した場合、上記決定手段は、状態変化後の上記自機稼動状態情報と、上記取得手段によって取得している上記他機稼動状態情報とに基づき、上記再生処理に関する動作を決定するように構成されていてもよい。
【００１５】
上記した構成によると、自機状態変化検出手段を備えているため、自機の稼動状態の状態変化を検出することができる。このため、自機において稼動状態の状態が変化した場合、この変化に応じて、他の再生装置の稼動状態を考慮して、再生処理に関する動作を決定することができる。すなわち、自機の稼動状態に変化が生じた場合、この変化後の稼動状態と、他の再生装置の稼動状態とを考慮し、当該再生装置の再生処理に関する動作を適切な動作となるように決定することができる。
【００１６】
また、本発明に係る再生装置は、上記した構成において、上記他の再生装置から、上記他機稼動状態情報を取得する取得手段を備え、上記状態変化検出手段が、上記取得手段によって取得された他機稼動状態情報に基づき、他の再生装置の稼動状態の変化の有無を検出する他機状態変化検出手段を有しており、上記他機状態変化検出手段が、他の再生装置の稼動状態の状態変化を検出した場合、上記決定手段は、上記自機稼動状態情報と状態変化後の上記他機稼動状態情報とに基づき、上記再生処理に関する動作を決定するように構成されていてもよい。
【００１７】
上記した構成によると、他機状態変化検出手段を備えているため、他の再生装置の稼動状態の状態変化を検出することができる。このため、他の再生装置において稼動状態の状態が変化した場合、この変化後の他の再生装置の稼動状態と、自機の稼動状態とを考慮して、再生処理に関する動作を決定することができる。すなわち、他の再生装置の稼動状態に変化が生じた場合、この変化後の稼動状態と、自機の稼動状態とを考慮し、当該再生装置の再生処理に関する動作を適切な動作となるように決定することができる。
【００１８】
また、本発明に係る再生装置は、上記した構成において、上記自機稼動状態情報と上記他機稼動状態情報との組み合わせと、上記再生処理に関する動作を示す動作情報との対応関係を示す状態テーブルを記憶する記憶装置をさらに備え、上記決定手段は、上記記憶装置に記憶された状態テーブルを参照して、上記自機稼動状態情報と、上記他機稼動状態情報とに基づき、上記再生処理に関する動作を決定するように構成されていてもよい。
【００１９】
上記構成によると、上記状態テーブルを記憶する記憶装置を備えるため、上記決定手段は、この状態テーブルを参照することで、自機稼動状態情報と上記他機稼動状態情報との組み合わせから再生処理に関する動作を容易に決定することができる。
【００２０】
また、本発明に係る再生装置は、上記した構成において、上記状態テーブルは、上記再生処理に関する動作を示す動作情報として、音声信号に基づき再生する音声の音量を規定する音量情報を含んでおり、上記決定手段は、上記記憶装置に記憶された状態テーブルを参照して、上記自機稼動状態情報と、上記他機稼動状態情報とに基づき、再生する音声の音量を決定するように構成されていてもよい。
【００２１】
上記構成によると、上記状態テーブルは、動作情報として、音量情報を含むため、本発明に係る再生装置は、自機と他機との両方の稼動状態を考慮し、再生する音声の音量を決定することができる。
【００２２】
したがって、本発明に係る再生装置は、通信可能な他の再生装置との間で、両者の稼動状態に応じて、相互に連携して再生する音声の音量を調整することができる。
【００２３】
また、本発明に係る再生装置は、上記した構成において、上記自機稼動状態情報が、上記再生処理が自機において実行中である旨を示すものであり、上記他機稼動状態情報が、上記再生処理が他の再生装置において実行中である旨を示している場合、上記決定手段は、音声信号に基づき再生する音声の音量を、自機と他の再生装置とのそれぞれにおいて再生される音声により互いに干渉されない音量として予め規定されている音量に変更するように決定することが好ましい。
【００２４】
上記構成によると、上記決定手段は、上記自機稼動状態情報が、自機が再生処理を実行中である旨を示しており、上記他機稼動状態情報が、他の再生装置が再生処理を実行中である旨を示している場合、すなわち、自機および他の再生装置がともに再生処理を実行している場合、再生される音声の音量を、互いに干渉しない音量へと変更するように決定することができる。
【００２５】
また、本発明に係る再生装置は、上記した構成において、上記自機稼動状態情報が、上記再生処理が自機において実行中である旨を示すものであり、上記他機稼動状態情報が、上記再生処理が他の再生装置において停止されている旨を示している場合、上記決定手段は、音声信号に基づき再生する音声の音量を、ユーザからの操作指示により、該ユーザの所望の音量として予め規定した音量に変更するように決定することが好ましい。
【００２６】
上記構成によると、上記決定手段は、上記自機稼動状態情報が、自機が再生処理を実行中である旨を示しており、上記他機稼動状態情報が、他の再生装置が再生処理を停止している旨を示している場合、すなわち他の再生装置は再生処理を停止しており、自機のみが再生処理を実行している場合、ユーザの所望する音量とするように決定することができる。
【００２７】
また、本発明に係る再生装置は、上記した構成において、上記自機稼動状態情報と上記他機稼動状態情報との組み合わせと、上記再生処理に関する動作を示す動作情報との対応関係を示す状態テーブルを記憶する記憶装置をさらに備え、上記状態テーブルは、上記再生処理に関する動作を示す動作情報として、該再生処理の実行開始または停止を指示する実行指示情報を含んでおり、上記決定手段は、上記記憶装置に記憶された状態テーブルを参照して、上記自機稼動状態情報と上記他機稼動状態情報とに基づき、上記再生処理の実行開始または停止を決定するように構成されていてもよい。
【００２８】
上記構成によると、上記状態テーブルが、再生処理に関する動作を示す動作情報として、再生処理の実行開始または停止を指示する実行指示情報を含むため、上記決定手段は、自機稼動状態情報と上記他機稼動状態情報との組み合わせに応じて、再生処理の実行を開始するのか、停止するのか容易に決定することができる。
【００２９】
また、本発明に係る再生装置は、上記した構成において、上記他の再生装置から、該他の再生装置にて再生処理されている映像信号および音声信号を特定する再生対象特定情報を取得する特定情報取得手段をさらに備え、上記自機稼動状態情報は、上記再生処理が自機において停止されている旨を示しており、上記他機状態変化検出手段が他の再生装置の稼動状態の状態変化を検出した場合、状態変化後の上記他機稼動状態情報が、上記再生処理が他の再生装置において停止されたことを示すとき、上記決定手段は、上記自機稼動状態情報と状態変化後の上記他機稼動状態情報とに基づき、特定情報取得手段によって取得した再生対象特定情報に対応する映像信号および音声信号の再生処理を開始するように決定するように構成されていてもよい。
【００３０】
上記構成によると、決定手段は、他の再生装置の再生処理が停止された場合、該他の再生装置にて再生処理を実行していた映像信号および音声信号の再生処理を開始させるように決定することができる。このため、本発明に係る再生装置は、他の再生装置にて再生していた映像信号および音声信号を、他の再生装置の再生処理の停止後に当該再生装置において引き続き実行することができる。
【００３１】
このように、他の再生装置の再生処理が停止された場合、この再生処理を当該再生装置にて実行することができる。このため、例えば、他の再生装置と本発明に係る再生装置とが異なる場所に設置されている場合、他の再生装置の再生処理を停止させても、当該再生装置が設置されている場所にて引きつづき映像信号および音声信号を再生させることができる。
【００３２】
また、本発明に係る再生装置は、上記した構成において、上記再生対象特定情報が、上記映像信号および音声信号を搬送する放送波の受信チャンネルを示す情報であってもよい。
【００３３】
上記再生対象特定情報が、上記受信チャンネルを示す情報である場合、他の再生装置において再生処理されていた放送波を当該再生装置にて受信し再生処理することができる。
【００３４】
本発明に係る再生装置の制御方法は、上記した課題を解決するために、映像信号および音声信号に基づく再生処理を実行する再生装置の制御方法であって、当該再生装置は他の再生装置と通信可能に接続されており、自機の稼動状態の状態変化、または他の再生装置の稼動状態の状態変化を検出する第１ステップと、上記第１ステップにおいて、自機の稼動状態の状態変化、または他の再生装置の稼動状態の状態変化を検出した場合、自機の稼動状態を示す自機稼動状態情報と、他の再生装置の稼動状態を示す他機稼動状態情報とに応じて、上記再生処理に関する動作を決定する第２ステップと、を含むことを特徴とする。
【００３５】
上記方法では、第１ステップを含むため、自機または他の再生装置における稼動状態の変化の有無を把握することができる。また、第２ステップを含むため、自機または他の再生装置において稼動状態に変化が生じた場合、自機稼動状態情報と他機稼動状態情報とに応じて、当該再生装置が実行する再生処理に関する動作を決定することができる。
【００３６】
すなわち、本発明に係る再生装置の制御方法は、自機の稼動状態または他の再生装置の稼動状態に変化が生じた場合、自機と他機との両方の稼動状態を考慮し再生処理に関する動作を決定することができる。
【００３７】
したがって、本発明に係る再生装置の制御方法は、通信可能な機器間において相互に連携した動作を実現することができるという効果を奏する。
【００３８】
なお、上記再生装置は、コンピュータによって実現してもよく、この場合には、コンピュータを上記各手段として動作させることにより上記再生装置をコンピュータにて実現させる再生装置の制御プログラム、およびそれを記録したコンピュータ読み取り可能な記録媒体も、本発明の範疇に入る。
【発明の効果】
【００３９】
本発明に係る再生装置は、上記した課題を解決するために、映像信号および音声信号に基づく再生処理を実行する再生装置であって、他の再生装置と通信可能に接続されており、自機の稼動状態の状態変化、または他の再生装置の稼動状態の状態変化を検出する状態変化検出手段と、上記状態変化検出手段が自機の稼動状態の状態変化、または他の再生装置の稼動状態の状態変化を検出した場合、自機の稼動状態を示す自機稼動状態情報と、他の再生装置の稼動状態を示す他機稼動状態情報とに応じて、上記再生処理に関する動作を決定する決定手段と、を備えることを特徴とする。
【００４０】
したがって、本発明に係る再生装置は、通信可能な機器間において相互に連携した動作を実現することができるという効果を奏する。
【００４１】
本発明に係る再生装置の制御方法は、上記した課題を解決するために、映像信号および音声信号に基づく再生処理を実行する再生装置の制御方法であって、当該再生装置は他の再生装置と通信可能に接続されており、自機の稼動状態の状態変化、または他の再生装置の稼動状態の状態変化を検出する第１ステップと、上記第１ステップにおいて、自機の稼動状態の状態変化、または他の再生装置の稼動状態の状態変化を検出した場合、自機の稼動状態を示す自機稼動状態情報と、他の再生装置の稼動状態を示す他機稼動状態情報とに応じて、上記再生処理に関する動作を決定する第２ステップと、を含むことを特徴とする。
【００４２】
したがって、本発明に係る再生装置の制御方法は、通信可能な機器間において相互に連携した動作を実現することができるという効果を奏する。
【発明を実施するための最良の形態】
【００４３】
本発明の一実施形態について図１ないし図９に基づいて説明すると以下の通りである。すなわち、本実施の形態に係る視聴システム１００は、図２に示すように、利用用途の異なる部屋（図２では、リビングとキッチン）ごとに配置されたテレビ（リビングテレビ１およびキッチンテレビ２）を備え、これらテレビ同士が、無線ＬＡＮによって通信可能に接続されることで構築されるシステムである。図２は、本発明の実施形態を示すものであり、視聴システム１００の概略を示す図である。
【００４４】
なお、本実施形態では、リビングテレビ（再生装置、他の再生装置）１とキッチンテレビ（再生装置、他の再生装置）２とを接続するための接続手段は、無線ＬＡＮにより実現される構成であるが、上記接続手段は、これに限定されるものではない。例えば、この接続手段としてＢｌｕｅｔｏｏｔｈ（登録商標）等の他の無線通信技術を利用する構成であってもよい。また、接続ケーブルによって両者を接続し、ＨＤＭＩ（High-Definition Multimedia Interface）等のデジタル映像・音声入出力規格や、ｉ．ｌｉｎｋ(登録商標）等の接続規格を採用してもよい。あるいは、ＰＬＣ（Power Line Communication 電力線搬送通信）を利用してもよい。
【００４５】
上記視聴システム１００では、図２に示すようにキッチンにはキッチンテレビ２が、リビングにはリビングテレビ１が備えられ、それぞれの部屋で、ユーザはテレビ番組等を視聴することができるようになっている。
【００４６】
しかしながら、図２ではリビングとキッチンとが隣接する間取りとなっており、そのため、リビングテレビ１とキッチンテレビ２とは近接した位置に配置されることとなる。このように、リビングテレビ１とキッチンテレビ２とが近接する位置に配置される場合、それぞれのテレビで同時に番組を視聴すると、両者のテレビのスピーカから出力される音が相互に干渉して双方のテレビの音声が互いに聞こえづらくなる場合がある。
【００４７】
本実施の形態に係る視聴システム１００では、このように音が干渉する可能性がある場合、リビングテレビ１およびキッチンテレビ２から出力される音は、それぞれが所定の音量レベル（干渉時設定音量）となるように調整される。
【００４８】
一方、音が干渉する可能性がない場合、本実施の形態に係る視聴システム１００では、リビングテレビ１およびキッチンテレビ２から出力される音は、ユーザにより設定された所望の音量レベル（非干渉時設定音量）となるように調整される。本実施の形態に係る視聴システム１００では、この非干渉時設定音量は、リビングテレビ１およびキッチンテレビ２それぞれにおける前回稼動時にユーザにより設定した音量とする。なお、このように音が干渉する可能性がない場合とは、例えば、キッチンテレビ２またはリビングテレビ１のいずれか一方が稼動していない場合などが想定される。
【００４９】
（リビングテレビの構成）
ここで、本実施の形態に係る視聴システム１００が備えるリビングテレビ１の構成について図３を参照して説明する。図３は、本発明の実施形態を示すものであり、リビングテレビ１のハードウェア構成を示す図である。
【００５０】
上記リビングテレビ１は、図３に示すようにアナログチューナ１１、デジタルチューナ１２、外部入力部１３・・・、ＡＶセレクタ１４、映像信号処理部１５、音声信号処理部１６、ＤＡＣ（Digital to Analog Converter）１７、音声ＡＭＰ（amplifier）出力部１８、表示装置１９、スピーカ２０、通信制御部２１、アンテナ２２、不揮発性メモリ（記憶装置）２３、操作部２４、電源回路２５、および主制御部２６を備えてなる構成である。
【００５１】
上記アナログチューナ１１は、主制御部２６からの制御指示に応じて、不図示のアナログ放送用アンテナを介して受信する放送信号（アナログ放送）を選局するものである。アナログチューナ１１によって選局され取得された放送信号のうち映像信号は、ＡＶセレクタ１４を通じて映像信号処理部１５に出力され、音声信号は、ＡＶセレクタ１４を通じて音声信号処理部１６に出力される。
【００５２】
上記デジタルチューナ１２は、主制御部２６からの制御指示に応じて、不図示のデジタル放送用アンテナを介して受信する放送信号（デジタル放送）を選局するものである。デジタルチューナ１２によって選局され、取得された放送信号のうち映像信号は、ＡＶセレクタ１４を通じて映像信号処理部１５に送信され、音声信号は、ＡＶセレクタ１４を通じて音声信号処理部１６に送信される。
【００５３】
外部入力部１３は、例えば、外部機器から入力された映像信号または音声信号を受付けるものである。外部入力部１３としては、例えばＨＤＭＩ（High-Definition Multimedia Interface）等の規格に応じた家電やＡＶ機器向けのデジタル映像・音声入出力インターフェースが挙げられる。本実施の形態に係るリビングテレビ１（またはキッチンテレビ２）では、この外部入力部１３を複数備えている。
【００５４】
ＡＶセレクタ１４は、主制御部２６からの制御指示に応じて、アナログチューナ１１、デジタルチューナ１２、および外部入力部１３・・・を切換えて入力を受付けるものである。また、ＡＶセレクタ１４は、アナログ放送またはデジタル放送の放送信号から音声データおよび映像データを抽出するものでもある。ＡＶセレクタ１４は、抽出した音声データを音声信号処理部１６に、映像データを映像信号処理部１５にそれぞれ送信する。
【００５５】
上記映像信号処理部１５は、ＡＶセレクタ１４から入力された映像信号を表示装置１９にて表示できる形式に変換するものである。また、映像信号処理部１５は、表示画面制御部２７を備えている。この表示画面制御部２７は、変換した映像信号を表示装置１９に出力して表示するように制御したり、ＯＳＤ（オン・スクリーン・ディスプレイ）データに基づき、予め用意された設定メニュー画面、音量ケージ、現在時刻、選局チャンネルなどの各種情報を描画し、表示装置１９に出力して表示するように制御したりする。
【００５６】
上記音声信号処理部１６は、ＡＶセレクタ１４から入力された音声信号をスピーカ２０から出力できる形式に変換するものである。また、この音声信号処理部１６は、音量制御部２８を備えており、この音量制御部２８は、上記音声信号に基づき再生される音声の音量を制御する。音声信号処理部１６は、変換した音声信号をＤＡＣ１７に出力し、デジタルデータからアナログデータに変化させ音声ＡＭＰ出力部１８に送信させる。
【００５７】
上記音声ＡＭＰ出力部１８は、ＤＡＣ１７を介して音声信号処理部１６から入力された音声信号に基づき、スピーカ２０から出力する音声の出力制御を行うものである。
【００５８】
通信制御部２１は、アンテナ２２を介して他の装置（キッチンテレビ２）との間での通信を確立するように制御したり、通信を確立した他の装置（キッチンテレビ２）と相互に情報を送受信したりするように制御するものである。
【００５９】
上記不揮発性メモリ２３は、リビングテレビ１あるいはキッチンテレビ２において利用する各種設定情報を記憶する半導体メモリであって、例えば、フラッシュメモリなどによって実現される。不揮発性メモリ２３には、音量設定テーブル（状態テーブル）３１、自装置稼動情報（自機稼動状態情報）３２、他装置稼動情報（他機稼動状態情報）３３、および稼動状態変更テーブル（状態テーブル）３４が記憶されている。
【００６０】
上記音量設定テーブル３１は、自機の稼動状態を示す情報と他のテレビの稼動状態を示す情報との組み合わせと、出力する音声の音量レベルを示す情報との対応関係を示すテーブルである。
【００６１】
具体的には、図４に示すように、稼動中、スタンバイ状態等、自機および他機の稼動状態を示す情報（時期稼動状態および他機稼動状態）と、それら稼動状態の組み合わせに応じた音量レベルに関する情報（動作情報）とが対応付けられている。図４は、本発明の実施形態を示すものであり、音量設定テーブル３１の一例を示す図である。
【００６２】
なお、自機稼動状態および他機稼動状態における稼動中とは、リビングテレビ１において、番組が視聴できるように表示装置１９に映像が表示され、スピーカ２０から音声が出力されている状態を指す。一方、スタンバイ状態とは、電源回路２５が待機中の状態（スタンバイ状態）となるように働いており、リビングテレビ１が稼動していない状態である。本実施の形態に係るリビングテレビ１は、ユーザから稼動の停止指示を受信すると、スタンバイ状態となるように構成されている。
【００６３】
また、音量設定テーブル３１において設定されている音量レベルは、以下のようにして規定されている。すなわち、リビングテレビ１およびキッチンテレビ２の両者において番組が再生され、両者の音声が干渉しあう可能性がある環境下では、音声が干渉しあわない程度に小さくなるように規定されている。
【００６４】
一方、リビングテレビ１のみ稼動しており、両者の音声が干渉しない環境下では、リビングテレビ１から出力する音声の音量レベルは、ユーザが通常の使用時に好む音量レベルに設定する。なお、本実施の形態に係るリビングテレビ１では、リビングテレビ１の前回の使用時に設定した音量レベルを、ユーザが通常の使用時に好む音量レベルとして設定する。
【００６５】
なお、このユーザが通常の使用時に好む音量レベルは、リビングテレビ１の前回の使用時に設定した音量レベルに限定されるものではなく、予めユーザによって当該リビングテレビ１において設定したものであってもよい。
【００６６】
また、本実施の形態に係るリビングテレビ１では、音量レベルの設定は、例えば、図５に示すようなグラフィカルな音量設定画面を参照して、ユーザによって容易に設定できるようになっている。図５は本発明の実施形態を示すものであり、音量設定画面の一例を示す図である。
【００６７】
すなわち、上記音量設定画面では、音量をグラフィカルに棒状に表した音量バーを参照して、音量レベルの高低を決定することができる。また、リビングテレビ１の音量とキッチンテレビ２の音量とが図５に示すように並んで表示されており、接続相手であるキッチンテレビ２の音量を参照にしつつリビングテレビ１の音量を決定できるようになっている。
【００６８】
自装置稼動情報３２は、現時点におけるリビングテレビ１の稼動状態を示す情報である。後述するが、本実施の形態に係るリビングテレビ１では、稼動状態が変更されるたびに、主制御部２６からの制御指示により自装置稼動情報３２が更新されるようになっている。
【００６９】
他装置稼動情報３３は、リビングテレビ１の接続相手である他の装置（キッチンテレビ２）の稼動状態を示す情報である。リビングテレビ１では、キッチンテレビ２から稼動状態に関する情報を受信した場合、この情報を他装置稼動情報３３として不揮発性メモリ２３に記憶するようにも構成されている。一方、リビングテレビ１からもキッチンテレビ２に対して、リビングテレビ１の稼動状態に関する情報を、所定のタイミングで送信するようになっている。なお、上記所定のタイミングとは、予め決められた時間間隔ごとのタイミングである。
【００７０】
すなわち、本実施の形態に係る視聴システム１００では、図６に示すように、稼動状態が稼動中かスタンバイ状態にあるかに関わらずリビングテレビ１から所定時間間隔で稼動状態の問い合わせを行い、この問い合わせに対する応答をキッチンテレビ２から取得できるようになっている。また逆に、キッチンテレビ２から所定時間間隔で稼動状態の問い合わせを行い、この問い合わせに対する応答をリビングテレビ１から取得できるようにもなっている。
【００７１】
また、本実施の形態に係る視聴システム１００では、リビングテレビ１またはキッチンテレビ２からの問い合わせに対して稼動状態が通知されるだけではなく、図７に示すように、自機の稼動状態が変更された場合にも稼動状態を通知するように構成されている。なお、図６および図７は、本発明の実施形態を示すものであり、リビングテレビ１とキッチンテレビ２との間における稼動状態の通知処理を説明する図である。
【００７２】
このように、リビングテレビ１とキッチンテレビ２とが互いに所定時間間隔ごとに相手の稼動状態に関する情報を取得できるようになっている。また、自機の稼動状態が変更された場合、その変更後の稼動状態を接続相手に通知できるようにもなっている。このため、リビングテレビ１とキッチンテレビ２とは互いに、稼動状態を監視し、稼動状態に変更が生じたか否か把握できる。
【００７３】
稼動状態変更テーブル３４は、図１０に示すように、自機の稼動状態と、他機の稼動状態の変更に伴い、自機の動作をどのように変更させるか、その対応関係を示すテーブルである。より具体的には、他機をキッチンテレビ２としたとき、キッチンテレビ２の稼動状態が稼動中からスタンバイ状態へと変更された場合、自機の動作を、スタンバイ状態から起動させ、音量を非干渉時設定音量とするように、上記対応関係が示されている。
【００７４】
操作部２４は、ユーザからの操作指示を受付けるものである。ユーザからの操作指示が入力ボタン等の押下によって実行される場合、操作部２４はこの操作ボタン等によって実現できる。一方、ユーザからの操作指示をリモートコントローラから受付ける場合、この操作部２４は、リモートコントローラから出力される光を受光する受光部によって実現できる。操作部２４は、ユーザから操作指示を受付けると、その情報を主制御部２６に送信する。
【００７５】
電源回路２５は入力電力から出力電力を生成する回路であって、主制御部２６からの制御指示に基づき、リビングテレビ１の起動、待機（スタンバイ状態）等、その稼動状態に応じた動作をする。
【００７６】
主制御部２６は、リビングテレビ１が備える各部の各種制御を行うものであり、例えば、ＣＰＵの機能を実装した集積回路によって実現できる。
【００７７】
なお、キッチンテレビ２についても、このリビングテレビ１と同様の部材を備え、また、不揮発性メモリ２３に、同様に音量設定テーブル３１、自装置稼動情報３２、および他装置稼動情報３３を記憶した構成となっている。このため、キッチンテレビ２についての説明は省略する。
【００７８】
（リビングテレビにおける音量調整処理に関するソフトウェア構成）
次に、上記した構成を有するリビングテレビ１の音量調整処理に関するソフトウェア構成について図１を参照して説明する。図１は、本発明の実施形態を示すものであり、リビングテレビ１における音量調整処理に関するソフトウェア構成を示す図である。
【００７９】
図１に示すように本実施の形態に係るリビングテレビ１は、機能ブロックとして、情報取得部（取得手段）４１、他装置稼動状態判定部４２、稼動状態判定部４３、稼動状態通知部４４、音量決定部（決定手段）４５、稼動指示部４６、およびチャンネル決定部４７を備えてなる構成である。なお、他装置稼動状態判定部４２および稼動状態判定部４３により、本発明における状態変化検出手段を実現する。また、稼動指示部４６とチャンネル決定部４７とによって本発明の決定手段を実現できる。
【００８０】
上記情報取得部４１は、通信制御部２１を通じて、他のテレビ（ここでは、キッチンテレビ２）から送信された、キッチンテレビ２の稼動状態に関する情報を受付けるものである。また、後述するが情報取得部４１は、キッチンテレビ２がユーザからの停止指示によりスタンバイ状態となった場合、該キッチンテレビ２にて再生していた番組のチャネル情報も取得する。情報取得部４１は、上記稼動状態に関する情報およびチャンネル情報（再生対象特定情報）を受付けると、これらの情報を他装置稼動状態判定部４２に送信する。
【００８１】
上記他装置稼動状態判定部４２は、情報取得部４１から受信した上記稼動状態に関する情報と、すでに不揮発性メモリ２３に記憶されている他装置稼動情報３３とを比較し、他のテレビ（キッチンテレビ２）の稼動状態に変更が生じたかどうか判定するものである。
【００８２】
他装置稼動状態判定部４２は、変更が生じたと判定した場合、キッチンテレビ２の稼動状態の変更に応じた音量レベルを決定するように、音量決定部４５に指示する。また、他装置稼動状態判定部４２は、他装置稼動情報３３を、現時点でのキッチンテレビ２の稼動状態に更新する。
【００８３】
また、他装置稼動状態判定部４２は、キッチンテレビ２から受信した稼動状態に関する情報が、キッチンテレビ２が稼動中からスタンバイ状態へと変更されるものであると判定した場合、この稼動状態の変更に対する判定結果を、稼動指示部４６に通知する。また、この判定結果を通知する際、他装置稼動状態判定部４２は、キッチンテレビ２から取得したチャンネル情報も送信する。
【００８４】
稼動指示部４６は、操作部２４により受付けたユーザからの稼動状態の変更指示に応じて、電源回路２５を制御して当該リビングテレビ１を起動させたり、起動しているリビングテレビ１を停止させ、スタンバイ状態にしたりするものである。また、稼動指示部４６は、他装置稼動状態判定部４２から受信した判定結果に応じて、稼動状態変更テーブル３４を参照して、稼動状態をスタンバイ状態から起動させ稼動中へと変更すように決定するものでもある。
【００８５】
また、稼動指示部４６は、上記変更指示または他装置稼動状態４２から受信した判定結果により変更された当該リビングテレビ１の稼動状態（自機の稼動状態に関する情報）を稼動状態判定部４３に通知するものでもある。
【００８６】
また、稼動指示部４６は、他装置稼動状態判定部４２からの判定結果に応じて、スタンバイ状態から起動して稼動中へと変更するように決定した場合、キッチンテレビ２から受信したチャンネル情報をチャンネル決定部４７に送信し、再生する番組のチャンネルを決定するように指示するものでもある。
【００８７】
チャンネル決定部４７は、稼動指示部４６からの指示に応じて、再生する番組のチャンネルを決定する。そして、デジタルチューナ１２に対して、決定したチャネルの放送波を選択し受信するように指示するものである。
【００８８】
稼動状態判定部４３は、稼動指示部４６から受信した自機の稼動状態に関する情報、すなわち現時点での自機の稼動状態に基づき、該稼動状態に変更があったか否か判定するものである。具体的には、稼動状態判定部４３は、不揮発性メモリ２３に記憶した自装置稼動情報３２と、稼動指示部４６から受信した自機の稼動状態に関する情報とに基づき稼動状態に変更が生じたか否か判定する。
【００８９】
稼動状態判定部４３は、稼動状態に変更が生じたと判定した場合、現時点での稼動状態をキッチンテレビ２に通知するように稼動状態通知部４４に指示する。さらに、稼動状態判定部４３は、音量決定部４５に、変更後のリビングテレビ１の稼動状態に応じた音量レベルを決定するように指示する。
【００９０】
上記音量決定部４５は、他装置稼動状態判定部４２または稼動状態判定部４３からの指示に応じて、リビングテレビ１にて出力する音声の音量レベルを決定するものである。より具体的には、音量決定部４５は、他装置稼動状態判定部４２からの指示に応じて、変更後のキッチンテレビ２の稼動状態と自機の稼動状態とに基づき、稼動状態変更テーブル３４を参照してリビングテレビ１にて出力する音声の音量レベルを決定する。あるいは、音量決定部４５は、稼動状態判定部４３からの指示に応じて、変更後のリビングテレビ１の稼動状態と、キッチンテレビ２の稼動状態とに基づき、音量設定テーブル３１を参照してリビングテレビ１にて出力する音声の音量レベルを決定する。
【００９１】
音量決定部４５は、リビングテレビ１にて出力する音声の音量レベルを決定すると、決定した音量レベルで音声が出力されるように、音声信号処理部１６が有する音量制御部２８に指示する。この音量決定部４５からの指示に応じて、音量制御部２８は、出力する音声の音量を制御する。
【００９２】
なお、上記リビングテレビ１と接続されるキッチンテレビ２は、音量調整処理に関して、リビングテレビ１と同様なソフトウェア構成を有している。すなわち、キッチンテレビ２は、リビングテレビ１と同様な機能ブロックを備えている。このため、キッチンテレビ２が音量調整処理に関するソフトウェアとして備える各機能ブロックについては、リビングテレビ１が備える各機能ブロックと同一の符号番号を付しその説明は省略するものとする。
【００９３】
（音量調整処理１）
上述した構成を有するリビングテレビ１およびキッチンテレビ２における、音量調整処理の処理フローの一例を、図８を参照にして説明する。特にここでは、リビングテレビ１の起動指示をトリガとする、リビングテレビ１とキッチンテレビ２との間における音量調整処理（音量調整処理１）を例に挙げて説明する。図８は、本発明の実施形態を示すものであり、音量調整処理１の処理の流れを説明するフローチャートである。
【００９４】
まず、前提としてリビングテレビ１がスタンバイ状態にあるものとする。本実施の形態に係るリビングテレビ１は、稼動していない間は電源回路２５が待機中の状態（スタンバイ状態）となるように働く。つまり、リビングテレビ１は、主電源がＯＦＦ状態とはならない。また、同様にキッチンテレビ２が稼動していない間も、キッチンテレビ２が備える電源回路２５が待機中の状態（スタンバイ状態）となるように働く。
【００９５】
このような前提において、ユーザから操作部２４を介してリビングテレビ１の起動指示を稼動指示部４６が受付ける（ステップＳ１１、これ以降Ｓ１１のように称する）。稼動指示部４６は、この操作部２４からの指示に応じて電源回路２５を動作させてリビングテレビ１を稼動させる。このように、リビングテレビ１では、スタンバイ状態から稼動状態に変更される。また、稼動指示部４６は、操作部２４から受付けた指示を稼動状態判定部４３に通知する。
【００９６】
この稼動指示部４６から受信した指示と、自装置稼動情報３２とから稼動状態判定部４３が、リビングテレビ１の稼動状態の変更を判定する。ここで、稼動状態に変更があったと判定した場合、この変更後の稼動状態をキッチンテレビ２に通知するように稼動状態通知部４４に指示するとともに、自装置稼動情報３２を更新する。
【００９７】
稼動状態通知部４４は、稼動状態判定部４３からの指示に応じて通信制御部２１を制御して、キッチンテレビ２に対し、リビングテレビ１が稼動し、稼動状態が変更された旨を示す情報を通知する（Ｓ１２）。
【００９８】
また、稼動状態判定部４３は、上記したように自装置稼動情報３２を更新し、リビングテレビ１の変更後の稼動状態に関する情報をキッチンテレビ２に通知するように稼動状態通知部４４に指示すると、さらにこの稼動状態についての判定結果を音量決定部４５に送信する。
【００９９】
音量決定部４５は、稼動状態判定部４３からリビングテレビ１の稼動状態に関する判定結果（ここでは、リビングテレビ１が稼動したという判定結果）を受信すると、他装置稼動情報３３を読み出す。そして、音量決定部４５は、リビングテレビ１の稼動状態に関する判定結果と他装置稼動情報３３とに基づき、音量設定テーブル３１を参照して、リビングテレビ１において出力する音量を決定する。すなわち、音量決定部４５が読み出した他装置稼動情報３３に基づき、キッチンテレビ２が稼動中であると判定した場合（Ｓ１３において「ＹＥＳ」）、音量決定部４５は、リビングテレビ１から出力する音の音量を干渉時音量に設定する（Ｓ１５）。
【０１００】
一方、キッチンテレビ２が稼動中でない場合、すなわち、キッチンテレビ２が停止しスタンバイ状態にある場合、音量決定部４５は、リビングテレビ１から出力する音の音量を非干渉時音量に設定する（Ｓ１４）。
【０１０１】
一方、キッチンテレビ２では、リビングテレビ１から変更後の稼動状態に関する情報を情報取得部４１が受信すると、この受信した情報を他装置稼動状態判定部４２に送信する。
【０１０２】
他装置稼動状態判定部４２は、情報取得部４１からリビングテレビ１の変更後の稼動状態に関する情報を受信すると、自装置稼動情報３２を参照して自機が稼動中か否か、すなわち、稼動中かスタンバイ状態か判定する（Ｓ２２）。ここで、自機が稼動中ではないと判定した場合（Ｓ２２において「ＮＯ」）、他装置稼動状態判定部４２は、リビングテレビ１から受信した変更後の稼動状態を示す情報によって、他装置稼動情報３３を更新する（Ｓ２４）。
【０１０３】
上述したように、本実施の形態に係るキッチンテレビ２では、稼動していない間は電源回路２５が待機中の状態となるように働いており、キッチンテレビ２は、主電源がＯＦＦ状態とはならない。このため、キッチンテレビ２は、リビングテレビ１から変更後の稼動状態に関する情報を受信し、他装置稼動情報３３を更新することができるようになっている。
【０１０４】
一方、他装置稼動状態判定部４２が、自機が稼動中であると判定した場合（Ｓ２２において「ＹＥＳ」）、受信した変更後のリビングテレビ１の稼動状態に関する情報に基づき、リビングテレビ１が起動したか否かさらに判定する（Ｓ２３）。ここで、リビングテレビ１が起動していると判定した場合（Ｓ２３において「ＹＥＳ」）、ステップＳ２２およびステップＳ２３における判定結果、すなわち、キッチンテレビ２およびリビングテレビ１の両者がともに稼動している状態にあることを示す判定結果を音量決定部４５に通知する。
【０１０５】
音量決定部４５は、他装置稼動状態判定部４２から通知されたステップＳ２２およびＳ２３における判定結果と、音量設定テーブル３１とに基づき、キッチンテレビ２から出力する音量を、干渉時音量に設定するように決定する（Ｓ２５）。そして、この決定した干渉時音量にて音量を出力させるように音量制御部２８を制御する。
【０１０６】
一方、リビングテレビ１から受信した、上記変更後の稼動状態に関する情報が、リビングテレビ１が起動した旨を示すものではない場合、ステップＳ２３における他装置稼動状態判定部４２の判定結果は「ＮＯ」となる。
【０１０７】
この場合、音量決定部４５は、他装置稼動状態判定部４２から通知されたステップＳ２２およびＳ２３における判定結果と、音量設定テーブル３１とに基づき、キッチンテレビ２から出力する音量を、非干渉時音量に設定するように決定する（Ｓ２６）。そして、この決定した非干渉時音量にて音量を出力させるように音量制御部２８を制御する。
【０１０８】
以上のように、リビングテレビ１は、自機の稼動状態とキッチンテレビ２の稼動状態との関係により、出力する音声の音量レベルを、非干渉時音量または干渉時音量とすることができる。すなわち、リビングテレビ１は、自機が稼動中であり、キッチンテレビ２も稼動中である場合、出力する音声の音量レベルを干渉時音量とし、自機が稼動中であり、キッチンテレビ２が停止中である場合、非干渉時音量とすることができる。
【０１０９】
一方、キッチンテレビ２は、リビングテレビ１から受信した該リビングテレビ１の変更後の稼動状態と自機の稼動状態との関係により、出力する音声の音量レベルを、非干渉時音量または干渉時音量とすることができる。あるいは、出力する音声の音量レベルを設定するのではなく、変更後のリビングテレビ１の稼動状態により、他装置稼動情報３３の更新だけを行うことができる。
【０１１０】
すなわち、キッチンテレビ２は、自機が稼動中であり、リビングテレビ１も稼動中である場合、出力する音声の音量レベルを干渉時音量とし、自機が稼動中であり、リビングテレビ１が停止中である場合、非干渉時音量とすることができる。また、自機が稼動していない場合、リビングテレビ１の変更後の稼動状態に関する情報により、他装置稼動情報３３を更新することもできる。
【０１１１】
なお、図８では、リビングテレビ１の起動指示をトリガとしてリビングテレビ１において出力する音量の設定を判断し、リビングテレビ１の稼動状態の変更通知をトリガとして、キッチンテレビ２において出力する音量の設定を判断する場合について説明した。ここで、キッチンテレビ２の起動指示をトリガとしてキッチンテレビ２において出力する音量の設定を判断し、キッチンテレビ２の稼動状態の変更通知をトリガとして、リビングテレビ１において出力する音量の設定を判断する場合であっても、図５に示すリビングテレビ１とキッチンテレビ２との処理フローを入れ替えることで同様にして実行できる。
【０１１２】
以上のように、本実施の形態に係るリビングテレビ１は、自機の稼動状態の変更、またはキッチンテレビ２の稼動状態の変更を検出する稼動状態判定部４３および他装置稼動状態判定部４２を備える。そして、上記稼動状態判定部４３が自機の稼動状態の変更を、あるいは上記他装置稼動状態判定部４２が他の再生装置の稼動状態の変更を検出した場合、自装置稼動情報３２と他装置稼動情報３３とに応じて、上記再生処理において出力する音声の音量レベルを決定する音量決定部４５を備える。
【０１１３】
このため、本実施の形態に係るリビングテレビ１は、自機またはキッチンテレビ２における稼動状態の変更の有無を把握することができる。また、音量決定部４５を備えているため、自機または他の再生装置において稼動状態が変更した場合、自装置稼動情報３２と他装置稼動情報３３とに応じて、リビングテレビ１が出力する音声の音量レベルを決定することができる。
【０１１４】
このように、リビングテレビ１は、自機の稼動状態またはキッチンテレビ２の稼動状態が変更した場合、自機とキッチンテレビ２との両方の稼動状態を考慮し、出力する音声の音量レベルを決定することができる。このため、リビングテレビ１は、キッチンテレビ２との間において相互に連携した動作を実現することができる。
【０１１５】
また、このように本実施の形態に係る視聴システム１００では、リビングテレビ１とキッチンテレビ２との両者の稼動状態に応じて、両者が稼動中の場合は干渉時音量に、一方の装置がスタンバイ状態の場合は、稼動中の他方の装置の音量を非干渉時音量とすることができる。したがって、リビングテレビ１とキッチンテレビ２とにおいて、出力される音が干渉してしまうことを防ぐことができる。
【０１１６】
また、一方の装置が起動していない場合であってもスタンバイ状態であるため、他方の装置において稼動状態が変更された場合、一方の装置ではこの変更された稼動状態に関する情報を受付け、他装置稼動情報３３を更新することができる。このように一方の装置が起動していない場合であっても、他装置稼動情報３３を更新することができるため、他方の装置の稼動状態を監視しておくことができる。
【０１１７】
上記ではリビングテレビ１の起動指示をトリガとする、リビングテレビ１とキッチンテレビ２との間における音量調整処理（音量調整処理１）を例に挙げて説明した。次に、リビングテレビ１に対する停止指示をトリガとするリビングテレビ１とキッチンテレビ２との間における音量調整処理（音量調整処理２）について図９を参照して説明する。図９は、本発明の実施形態を示すものであり、音量調整処理２の処理の流れを説明するフローチャートである。
【０１１８】
（音量調整処理２）
本実施の形態に係る視聴システム１００では、リビングテレビ１とキッチンテレビ２との間において、一方の装置における稼動状態が稼動中からスタンバイ状態に変更されることにより、他方の装置の稼動状態がスタンバイ状態から起動させ稼動中へと変更されるように構成されている。
【０１１９】
例えば、リビングテレビ１が稼動中であり、キッチンテレビ２がスタンバイ状態にある場合において、リビングテレビ１を停止させスタンバイ状態に変更させると、スタンバイ状態にあるキッチンテレビ２が起動され、リビングテレビ１にて再生していた番組が再生される。またこのとき、キッチンテレビ２で番組を再生する際の音量は、非干渉時音量に設定される。
【０１２０】
このように、一方の装置における稼動状態が稼動中からスタンバイ状態に変更されることにより、他方の装置の稼動状態がスタンバイ状態から稼動中へと変更される処理を音量調整処理２として、以下に説明する。
【０１２１】
まず、前提としてリビングテレビ１が稼動状態にあり、キッチンテレビ２がスタンバイ状態にあるものとする。
【０１２２】
このような前提において、ユーザから操作部２４がリビングテレビ１の停止指示を受付ける（Ｓ３１）。操作部２４は、受付けた停止指示を稼動指示部４６に送信する。稼動指示部４６は、操作部２４から受信した停止指示を稼動状態判定部４３に送信する。
【０１２３】
稼動状態判定部４３は、稼動指示部４６から指示される停止指示と、自装置稼動情報３２とを比較し、リビングテレビ１における稼動状態の変更の有無を判定する。ここでは、ユーザから停止指示を受け、リビングテレビ１の稼動状態が変更されているため、稼動状態判定部４３は、稼動状態に変更が生じたと判断する。そして、稼動状態判定部４３は、変更後の稼動状態、すなわちリビングテレビ１がスタンバイ状態に変更される旨をキッチンテレビ２に通知するように、稼動状態通知部４４に指示する。この指示に応じて、稼動状態通知部４４が、通信制御部２１を制御してリビングテレビ１の稼動状態がスタンバイ状態に変更される旨をキッチンテレビ２に通知する（Ｓ３２）。また、リビングテレビ１からキッチンテレビ２へと稼動状態の変更が通知される際、稼動状態通知部４４は、リビングテレビ１が稼動中に選択していたチャンネル情報もあわせて通知する。
【０１２４】
さらにまた、稼動状態判定部４３は、変更後の稼動状態を反映するように自装置稼動情報３２を更新するとともに、音量決定部４５に変更後の稼動状態の情報、すなわちスタンバイ状態への変更を通知する。
【０１２５】
音量決定部４５は、稼動状態判定部４３からの通知に応じて、音量設定テーブル３１を参照してリビングテレビ１の音量を設定する。ここでは、リビングテレビ１の稼動状態が稼動中からスタンバイ状態へと変更され、一方、キッチンテレビ２の稼動状態が、現時点ではスタンバイ状態にあるため、リビングテレビ１の音量を非干渉時音量に設定する（Ｓ３３）。
【０１２６】
このように、スタンバイ状態へと変更される際に、非干渉時音量に設定することで、リビングテレビ１は、次回の起動時にキッチンテレビ２が稼動中でないならば、非干渉時音量にて音声を出力できる。
【０１２７】
このようにして稼動状態通知部４４からの指示に応じて通信制御部２１を介して稼動状態の変更がキッチンテレビ２に通知されるとともに、リビングテレビ１の音量を非干渉時音量に設定すると、稼動指示部４６は、電源回路２５を動作させてリビングテレビ１を停止させ、スタンバイ状態とする（Ｓ３４）。
【０１２８】
一方、キッチンテレビ２では、情報取得部４１が通信制御部２１を制御してリビングテレビ１から稼動状態の変更通知を受信する（Ｓ４１）。情報取得部４１は、リビングテレビ１の稼動状態の変更通知を取得すると、この取得した変更通知を他装置稼動状態判定部４２に送信する。他装置稼動状態判定部４２は、情報取得部４１により取得した稼動状態の変更通知を解析し、変更後のリビングテレビ１の稼動状態を判定する。ここでは、リビングテレビ１の稼動状態が稼動中らスタンバイ状態へと変更されたと判定する。他装置稼動状態判定部４２は、稼動指示部４６に対してこの判定結果を通知する。また、上述したように、情報取得部４１は、リビングテレビ１で再生していた番組のチャンネル情報を取得している。そこで、他装置稼動状態判定部４２は、稼動指示部４６に上記判定結果とともに、このチャンネル情報もあわせて送信する。
【０１２９】
稼動指示部４６は、他装置稼動状態判定部４２からの判定結果に応じて、図１０に示す稼動状態変更テーブル３４を参照してキッチンテレビ２を起動させると決定する。そして、稼動指示部４６は、電源回路２５を制御し、キッチンテレビ２を起動させる（Ｓ４２）。さらに、稼動指示部４６は、チャンネル決定部４７に、受信した上記チャンネル情報を送信し、再生する番組のチャンネルを決定させる。チャンネル決定部４７は、他装置稼動状態判定部４２から受信した上記チャンネル情報に基づき、リビングテレビ１で再生していた番組のチャンネルを特定する。そして、チャンネル決定部４７は、特定したチャンネルの放送信号を受信するようにデジタルチューナ１２に指示する。この指示に応じて、デジタルチューナ１２は、リビングテレビ１で再生していた番組のチャンネルを選択し、該チャンネルに応じた放送信号を受信する。
【０１３０】
このようにして、キッチンテレビ２では、リビングテレビ１で視聴していた番組のチャンネルに設定する（Ｓ４３）。
【０１３１】
なお、上記他装置稼動状態判定部４２は、リビングテレビ１の稼動状態が稼動中からスタンバイ状態へと変更されたと判定すると、このリビングテレビ１の稼動状態の変更に応じて音量を決定するように音量決定部４５に指示している。そこで、音量決定部４５は、稼動状態変更テーブル３４を参照して、キッチンテレビ２にて出力する音声の音量レベルを決定する。ここでは、リビングテレビ１の稼動状態がスタンバイ状態へと変更されているため、キッチンテレビ２の音量決定部４５は、出力する音声の音量レベルを非干渉時音量に設定する（Ｓ４４）。
【０１３２】
なお、図９では、リビングテレビ１の稼動停止指示をトリガとしてリビングテレビ１をスタンバイ状態とするとともに、リビングテレビ１の稼動状態の変更通知（スタンバイ状態への変更）をトリガとして、キッチンテレビ２をスタンバイ状態から起動させる場合について説明した。ここで、キッチンテレビ２の稼動停止指示をトリガとしてキッチンテレビ２をスタンバイ状態に変更させ、キッチンテレビ２の稼動状態の変更通知（スタンバイ状態への変更）をトリガとして、リビングテレビ１をスタンバイ状態から起動させる場合であっても、図９に示すリビングテレビ１とキッチンテレビ２との処理フローを入れ替えることで同様にして実行できる。
【０１３３】
以上のように、本実施の形態に視聴システム１００では、キッチンテレビ２において、上記他装置稼動状態判定部４２がリビングテレビ１がスタンバイ状態へと変更されたと判定した場合、稼動指示部４６が再生処理をスタンバイ状態から起動させるように決定する。さらにこの他装置稼動状態判定部４２の判定結果に応じて、音量決定部４５が上記再生処理において出力する音声の音量レベルを決定することができる。
【０１３４】
すなわち、本実施の形態に係る視聴システム１００では、リビングテレビ１またはキッチンテレビ２のいずれか一方の稼動状態の変更に応じて、他方の稼動状態も変更することができる。すなわち、一方の装置の稼動を停止させると、他方を起動させるように連携して動作させることができる。
【０１３５】
また、上記視聴システム１００は、スタンバイ状態から起動した装置では、停止指示によりスタンバイ状態となった装置にて再生していた番組を再生させることができる構成である。このため、例えば、ユーザがリビングテレビ１を停止させ、リビングからキッチンに移動すると、このキッチンに設置されているキッチンテレビ２にて、先ほどリビングテレビ１で視聴していた番組を続けて見ることができる。したがって、場所移動にともないユーザが視聴可能なテレビが変更されることとなっても、変更されたテレビにてユーザが特にチャンネル設定を行うことなく引き続き同じ番組を視聴することができる。
【０１３６】
なお、上記した視聴システム１００では、リビングテレビ１およびキッチンテレビ２の両者が稼動中の場合、互いに出力する音声が干渉しあわないように干渉時設定音量にて音声を出力させる構成であった。
【０１３７】
さらに以下に示すように、一方の装置に対するユーザからの音量設定指示に応じて他方の装置から出力する音量を変更できるように構成されていてもよい。より具体的には、例えばリビングテレビ１およびキッチンテレビ２の両者が起動して稼動中である状態で、キッチンテレビ２が、ユーザから音量を上げるように設定変更指示を受付けた場合、この音量の設定変更に応じて、リビングテレビ１では、出力する音量を所定のレベルだけ下げるように構成されていてもよい。あるいは、例えばリビングテレビ１およびキッチンテレビ２の両者が起動して稼動中である状態で、キッチンテレビ２が、ユーザから音量をミュートするように設定変更指示を受付けた場合、リビングテレビ１では、出力する音量を所定のレベルだけ上げるように構成されていてもよい。
【０１３８】
このように、一方の装置において出力する音声の音量の設定変更に応じて、他方の装置において出力する音声の音量を変更できるように構成することで、一方の装置で再生している番組の音声をより妨害が少ない環境で出力させることができる。さらには、一方の装置で再生している番組を視聴しながら、他方の装置で再生されている番組の音声の音量を大きくして聞くことができる。
【０１３９】
また、上記した視聴システム１００では、リビングテレビ１およびキッチンテレビ２それぞれの稼動状態に応じて、リビングテレビ１またはキッチンテレビ２から出力する音量を非干渉時設定音量とするのか、干渉時設定音量とするのか音量決定部４５が決定する構成であった。
【０１４０】
しかしながら、リビングテレビ１およびキッチンテレビ２それぞれの稼動状態に応じて決定する対象は、音量に限定されるものではない。例えば、映像信号に基づき再生される映像の輝度値等であってもよい。すなわち、リビングテレビ１およびキッチンテレビ２それぞれの稼動状態に応じて決定する対象は、再生処理に関わる設定値であればよい。
【０１４１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４２】
また、リビングテレビ１およびキッチンテレビ２の各ブロック、特に情報取得部４１、他装置稼動状態判定部４２、稼動状態判定部４３、稼動状態通知部４４、音量決定部４５、稼動指示部４６、およびチャンネル決定部４７は、ハードウェアロジックによって構成してもよいし、次のようにＣＰＵを用いてソフトウェアによって実現してもよい。
【０１４３】
すなわち、リビングテレビ１およびキッチンテレビ２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるリビングテレビ１の制御プログラムおよびキッチンテレビ２の制御プログラムのプログラムコード（実行形式プログラム、中間コードプログラム、ソースプログラム）をコンピュータで読み取り可能に記録した記録媒体を、上記リビングテレビ１およびキッチンテレビ２に供給し、そのコンピュータ（またはＣＰＵやＭＰＵ）が記録媒体に記録されているプログラムコードを読み出し実行することによっても、達成可能である。なお、本発明は、上記プログラムコードが電子的な伝送で具現化された、搬送波に埋め込まれたコンピュータデータ信号の形態でも実現され得る。
【産業上の利用可能性】
【０１４４】
本発明に係る再生装置は、自機の稼動状態または、通信可能に接続された他の再生装置の稼動状態に変化が生じた場合、自機と他機との両方の稼動状態を考慮し再生処理に関する動作を決定することができる。このため、例えば、互いに通信可能な複数の再生装置が配置されている空間において相互に連携した動作を行う必要がある場合に幅広く適用できる。
【図面の簡単な説明】
【０１４５】
【図１】本発明の実施形態を示すものであり、リビングテレビにおける音量調整処理に関するソフトウェア構成を示すブロック図である。
【図２】本発明の実施形態を示すものであり、視聴システムの概略を示す図である。
【図３】本発明の実施形態を示すものであり、リビングテレビのハードウェア構成を示す図である。
【図４】本発明の実施形態を示すものであり、音量設定テーブルの一例を示す図である。
【図５】本発明の実施形態を示すものであり、音量設定画面の一例を示す図である。
【図６】本発明の実施形態を示すものであり、リビングテレビとキッチンテレビとの間における稼動状態の通知処理を説明する図である。
【図７】本発明の実施形態を示すものであり、リビングテレビとキッチンテレビとの間における稼動状態の通知処理を説明する図である。
【図８】本発明の実施形態を示すものであり、音量調整処理の流れを説明するフローチャートである。
【図９】本発明の実施形態を示すものであり、音量調整処理の流れを説明するフローチャートである。
【図１０】本発明の実施形態を示すものであり、稼動状態変更テーブルの一例を示す図である。
【符号の説明】
【０１４６】
１    リビングテレビ（再生装置、他の再生装置）
２    キッチンテレビ（再生装置、他の再生装置）
２１    通信制御部
２２    アンテナ
２３    不揮発性メモリ（記憶装置）
２４    操作部
２５    電源回路
２６    主制御部
２７    表示画面制御部
２８    音量制御部
３１    音量設定テーブル（状態テーブル）
３２    自装置稼動情報（自機稼動状態情報）
３３    他装置稼動情報（他機稼動状態情報）
３４    稼動状態テーブル（状態テーブル）
４１    情報取得部（取得手段）
４２    他装置稼動状態判定部（状態変化検出部）
４３    稼動状態判定部（状態変化検出部）
４４    稼動状態通知部
４５    音量決定部（決定手段）
４６    稼動指示部（決定手段）
４７    チャンネル決定部（決定手段）
１００  視聴システム
【図１】
2010074651.tif 000003
【図２】
2010074651.tif 000004
【図３】
2010074651.tif 000005
【図４】
2010074651.tif 000006
【図５】
2010074651.tif 000007
【図６】
2010074651.tif 000008
【図７】
2010074651.tif 000009
【図８】
2010074651.tif 000010
【図９】
2010074651.tif 000011
【図１０】
2010074651.tif 000012